(57)【要約】【課題】廃車の構成部品に用いられたプラスチックの選別を簡便かつ効率よく実施でき、純度の高いリサイクル資源を得ることが可能なリサイクル材料の回収方法を提供する。【解決手段】廃車を解体し破砕して破砕物を得る破砕工程と、破砕物にＸ線を照射し、破砕物中のプラスチック１０が含有する無機充填材の構成元素を検出して、破砕物からプラスチック１０を選別するプラスチック選別工程と、プラスチック選別工程で選別したプラスチック１０の表面の異物を除去する異物除去工程とを有し、異物が除去されたプラスチック１０をリサイクルする。【選択図】図１
2018008380.tif 000002
【特許請求の範囲】
【請求項１】
廃車を解体し破砕して破砕物を得る破砕工程と、
前記破砕物にＸ線を照射し、該破砕物中のプラスチックが含有する無機充填材の構成元素を検出して、前記破砕物から前記プラスチックを選別するプラスチック選別工程と、
前記プラスチック選別工程で選別した前記プラスチックの表面の異物を除去する異物除去工程とを有し、前記異物が除去された前記プラスチックをリサイクルすることを特徴とするリサイクル材料の回収方法。
【請求項２】
請求項１記載のリサイクル材料の回収方法において、前記無機充填材はタルクであり、前記Ｘ線で検出する構成元素はＳｉ及びＭｇのいずれか一方又は双方であることを特徴とするリサイクル材料の回収方法。
【請求項３】
請求項１又は２記載のリサイクル材料の回収方法において、前記プラスチック選別工程における前記プラスチックの選別は、前記無機充填材の構成元素が検出された前記プラスチック以外の前記破砕物を、ノズルから噴出する圧縮空気で吹き飛ばして行うことを特徴とするリサイクル材料の回収方法。
【請求項４】
請求項１〜３のいずれか１項に記載のリサイクル材料の回収方法において、前記破砕工程と前記プラスチック選別工程との間で、風力選別機、磁力選別機、及び、非鉄金属選別機を用いて、前記破砕物から金属を除去する金属回収工程を行うことを特徴とするリサイクル材料の回収方法。
【発明の詳細な説明】
【技術分野】
【０００１】
本発明は、廃車からプラスチックを回収し、資源として活用するためのリサイクル材料の回収方法に関する。
【背景技術】
【０００２】
資源循環型社会においては、車や家電製品などの使用済み品を、効率よく分別して、再資源に活用するための原料に戻すことが重要である。
車や家電のリサイクルプラントでは、まず、一般家庭から排出される車や家電製品の使用済み品をリサイクル工場で解体した後、破砕設備や選別設備で金属やプラスチック等に分別する。続いて、分別された金属やプラスチック等の資源を、精鉄や精錬の工場でリサイクル材料（即ち、再生材や再資源材）として活用したり、また、基板や配線等に選別しリサイクル材料として活用したりする。
【０００３】
ここで、上記したリサイクル工場でのリサイクル工程を、家電製品を例にして図３を参照しながら説明する。
まず、手作業で、人が回収できる資源と有害物質を使用済み品から解体する（手分解）。例えば、冷蔵庫の場合、筐体から、フロンが入っているコンプレッサ、野菜ボックス、引出棚、モータ等を取り外す。また、エアコンの場合、コンプレッサ等を取り外し、洗濯機の場合、洗濯槽やモータ等を取り外す。更に、電子部品付きの配線基板、ケーブル、操作パネル、テレビのスピーカ等も取り外す。
【０００４】
そして、冷蔵庫や洗濯機などの筐体を丸ごと、破砕機や粉砕機にかけて解体する。ここで、筐体の解体には、最も大型の設備を用い、筐体を破砕する。
次に、破砕物から、金属である鉄や非鉄金属（銅やアルミニウム）を、風力選別機、磁力選別機、及び、非鉄金属選別機を用いて選別し回収する。続いて、各種プラスチックを、水に浮くものや沈むものの比重差（水比重選別機）を用いて、更には光学的な方法等を用いて選別する（例えば、特許文献１参照）。このプラスチックは、素材の種類ごとに純度が高くなるように選別することで、再資源化がし易くなるため付加価値が高くなる。
従って、選別技術の高度化はリサイクル技術の重要なポイントである。
【０００５】
一方、廃車のリサイクル工程も、上記した家電製品のリサイクル工程のように、まず、手作業により、廃車から解体できる部品を取り外す。例えば、タイヤ、バンパー、バッテリー、エアコン等である。
続いて、解体困難な部品を含む車のボディを、大型プレス機でプレスして、精鉄工場で処理する。その際、鉄などは鉄資源として再利用されるが、プラスチックで構成される車の内装材は燃焼の補助材料（サーマルマテリアル）として使われる。
【０００６】
このように、廃車のリサイクルについては、特に廃車の構成部品に用いられたプラスチック材料（以下、単にプラスチックともいう）を、再資源材として車の構成部品を製造するために再利用するという水平リサイクルが進んでいない。
このため、プラスチックの水平展開を進めることが課題であった。
そこで、図３に示した家電製品のリサイクル工程を用いて、廃車由来のプラスチックのリサイクルを試みた。
【先行技術文献】
【特許文献】
【０００７】
【特許文献１】特開平８−８０５２８号公報
【発明の概要】
【発明が解決しようとする課題】
【０００８】
廃車の構成部品のうち、プラスチックで構成されるものとしてバンパーがあり、その主要材料はポリプロピレンである。
このバンパー（ポリプロピレン）には、車が衝突した際の衝撃を吸収するため、タルク（無機充填材）が含まれている。なお、タルクとは、滑石あるいは蝋石と呼ばれる、水酸化マグネシウム（Ｍｇ３Ｓｉ４Ｏ１０（ＯＨ）２）とケイ酸塩からなる添加物である。
【０００９】
このタルクは、バンパーに粘り強さを加えるため、ポリプロピレンの素材に対して５〜２０質量％程度加えられている。このため、リサイクル工程において、破砕や粉砕を行う際に、粘性が高く粉砕し難いという性質がある。
なお、バンパーには、その外観性を高めるため、表面に塗装膜が形成されているが、ポリプロピレンのリサイクルに際しては、この塗装膜を剥離しなければ、リサイクル材料としての品位が確保し難いという課題がある。
【００１０】
また、廃車の他の構成部品のうち、プラスチックで構成されるものとして内装材があるが、その主要材料もポリプロピレンである。
この内装材の表面には、ウレタン系の接着剤を介して吸音フェルトやモケットが貼られている。この接着剤は、剥離すると飛散し易く、また、容積が大きくなることから、リサイクル工程において、破砕物を搬送するコンベア搬送装置や排気ダクトの開口部分が閉塞し易くなるという難点がある。また、内装材には、バンパーと同様にタルクが入っており、前述した共通の課題がある。
【００１１】
更に、バンパーや内装材を構成するプラスチックについては、前記したように、ポリプロピレンが多いが、その他に、ポリスチレンやＡＢＳ等のプラスチック（樹脂）も含まれている。
これらのプラスチックをリサイクル工程で選別する方法として、水とプラスチックの比重差を用いる水比重選別法がある。ここで、ポリプロピレンの比重は０．９であり、水より軽いため水に浮き、一方、ポリスチレンやＡＢＳは水より重いため水に沈む。
この比重差を用いて、ポリプロピレンのみを選択的に選別することもできる。
【００１２】
しかし、前述したように、ポリプロピレンはタルクを含有するため、ポリプロピレン単体の場合よりも比重が重くなり、水に沈むポリプロピレンが多く発生して選別できない。即ち、従来法である水を用いた比重選別法が適用できない。
そこで、水に塩化カルシウムを添加して用いる重液比重差選別法を適用することも考えられるが、タルクの含有量によって比重が異なるため、何種類もの重液を用意してその都度交換する必要があり、設備管理が煩雑で稼動効率が悪くなるという難点があった。
【００１３】
なお、プラスチックの選別方法としては、近赤外選別方法もある。これは、破砕物である樹脂片に近赤外を照射し、その反射光のスペクトルを検出して、所望のプラスチックのスペクトルと一致しているかを同定する手法である。
しかしながら、車の構成部品に用いられるプラスチックは黒色が多く、この黒色のプラスチックに近赤外線が吸収されるためスペクトルを検出できず、本方法は適用できない。
【００１４】
更に、内装材については、前記した接着剤が破砕物の表面に残っており、これがリサイクル材料の品位を低下させるため、表面を清浄化しなければならないという課題もある。
【００１５】
本発明はかかる事情に鑑みてなされたもので、廃車の構成部品に用いられたプラスチックの選別を簡便かつ効率よく実施でき、純度の高いリサイクル資源を得ることが可能なリサイクル材料の回収方法を提供することを目的とする。
【課題を解決するための手段】
【００１６】
前記目的に沿う本発明に係るリサイクル材料の回収方法は、廃車を解体し破砕して破砕物を得る破砕工程と、
前記破砕物にＸ線を照射し、該破砕物中のプラスチックが含有する無機充填材の構成元素を検出して、前記破砕物から前記プラスチックを選別するプラスチック選別工程と、
前記プラスチック選別工程で選別した前記プラスチックの表面の異物を除去する異物除去工程とを有し、前記異物が除去された前記プラスチックをリサイクルする。
【００１７】
ここで、前記無機充填材がタルクである場合、前記Ｘ線で検出する構成元素はＳｉ及びＭｇのいずれか一方又は双方である。
【００１８】
本発明に係るリサイクル材料の回収方法において、前記プラスチック選別工程における前記プラスチックの選別は、前記無機充填材の構成元素が検出された前記プラスチック以外の前記破砕物を、ノズルから噴出する圧縮空気で吹き飛ばして行うことが好ましい。
【００１９】
本発明に係るリサイクル材料の回収方法において、前記破砕工程と前記プラスチック選別工程との間で、風力選別機、磁力選別機、及び、非鉄金属選別機を用いて、前記破砕物から金属を除去する金属回収工程を行うことが好ましい。
【発明の効果】
【００２０】
本発明に係るリサイクル材料の回収方法は、プラスチック選別工程において、廃車を破砕して得られた破砕物にＸ線を照射し、破砕物中のプラスチックが含有する無機充填材の構成元素を検出し、このプラスチックを選別するので、従来のように、水比重選別法や重液比重差選別法を用いることなく、回収対象となるプラスチックを精度よく選別できる。
更に、異物除去工程において、プラスチック選別工程で選別したプラスチックの表面の異物を除去するので、不純物の混入が低減されたプラスチックが得られる。
これにより、廃車の構成部品に用いられたプラスチックの選別を、簡便かつ効率よく実施でき、純度の高いリサイクル資源が得られる。従って、回収したプラスチックを、車の構成部品を製造するための資源材として再利用するという水平リサイクルが可能になる。
【図面の簡単な説明】
【００２１】
【図１】本発明の一実施の形態に係るリサイクル材料の回収方法のフローチャートである。
【図２】同リサイクル材料の回収方法で行うプラスチック選別工程の説明図である。
【図３】従来例に係るリサイクル材料の回収方法のフローチャートである。
【発明を実施するための形態】
【００２２】
続いて、添付した図面を参照しつつ、本発明を具体化した実施の形態につき説明し、本発明の理解に供する。
図１、図２に示すように、本発明の一実施の形態に係るリサイクル材料の回収方法は、廃車からポリプロピレン（プラスチックの一例）１０を選別し回収してリサイクルするための方法であり、破砕工程、金属回収工程、プラスチック選別工程、及び、異物除去工程を有している。以下、詳しく説明する。
【００２３】
（破砕工程）
手作業により、廃車を解体してボディから部品を取り外す（手分解）。
例えば、プラスチックで構成されたバンパーや内装材、また、タイヤ、バッテリー、エアコン等である。
以下、上記した部品のうち、バンパーの製造に用いられたポリプロピレン（ＰＰ）１０をリサイクルする処理について説明する。
【００２４】
バンパーを破砕機に投入する。これにより、バンパーは破砕され、例えば、約１５ｍｍ以下の破砕物となる。
このバンパーは、前記したように、その主要材料がポリプロピレン１０であるが、その他に、ポリスチレンやＡＢＳ等のプラスチックも含まれている。また、バンパーには、例えば、ビームランプやゴム、ねじ等の金属の異種部材も取り付けられている。更に、バンパーには、その外観性を高めるため、表面に塗装膜が形成されている。
【００２５】
従って、バンパーを細かく破砕することにより、ポリプロピレン１０と、ポリプロピレン１０以外の他のプラスチック（ポリスチレンやＡＢＳ等）とに分解できる。また、バンパーに取り付けられた異種部材も分離できる。しかし、ポリプロピレン１０の表面には塗装膜が残存している。
なお、バンパーは、タルク（無機充填材の一例）を含有しているが、このタルクは、ポリプロピレン１０に含まれ、ポリプロピレン１０以外の他のプラスチックには含まれていない。
【００２６】
（金属回収工程）
上記した破砕物、即ち、ポリプロピレン１０、他のプラスチック、及び、異種部材を、風力選別機、磁力選別機、及び、非鉄金属選別機に順次投入する。
この風力選別機は、破砕物を風力により、粉砕物中の粉塵等を除去するものである。また、磁力選別機は、磁気の性質を利用して、粉砕物から鉄等を分離するものである。そして、非鉄金属選別機は、渦電流により、非鉄金属（銅やアルミニウム）と、ポリプロピレン１０等のプラスチックを選別するものである。
これにより、異種部材（金属等）を破砕物から選別できる。
【００２７】
（プラスチック選別工程）
異種部材が除去された破砕物、即ち、ポリプロピレン１０と他のプラスチックの混合物１１を、貯留ホッパ１２からベルトコンベア（搬送手段）１３上へ供給し、Ｘ線選別機１４へ搬送する。なお、混合物１１には、上記した金属回収工程で除去できなかった異種部材（例えば、ゴムやねじ等）も、少量含まれる場合がある。
ベルトコンベア１３は、軸心を平行にして対向配置された対となるガイドローラ１５、１６と、この一対のガイドローラ１５、１６に掛け渡された無端状のシート材１７（例えば、多数の小孔が形成された樹脂製や合成繊維製等のシート）を有している。
【００２８】
Ｘ線選別機１４は、元素検出装置１８と、この元素検出装置１８より下流側に配置された圧縮空気を噴出するノズル１９を有している。
元素検出装置１８は、従来公知のもの（市販品でもよい）であり、Ｘ線を照射可能なＸ線源２０と、このＸ線源２０とは間隔を有して対向配置されたラインセンサカメラ（Ｘ線検出器）２１とを有し、これらが遮蔽ボックス２２内に収容されている。このＸ線源２０とラインセンサカメラ２１との間には、混合物１１を載置するシート材１７の搬送側が配置される。
これにより、貯留ホッパ１２からシート材１７上に、混合物１１を満遍なく広げられた状態で載置することにより、遮蔽ボックス２２の外部から内部へ、混合物１１を連続的に供給し、混合物１１にＸ線を照射できる。
【００２９】
この元素検出装置１８は、ポリプロピレン１０が含有するタルクの構成元素を検出するものである。従って、ここでは、元素検出装置１８が、タルクの組成である水酸化マグネシウム（Ｍｇ３Ｓｉ４Ｏ１０（ＯＨ）２）中の金属元素である、Ｓｉ（ケイ素）及び／又はＭｇ（マグネシウム）を検出できるように設定しておく。
なお、ラインセンサカメラ２１で得られたＸ線検出データは、データ処理装置を構成するコンピュータ等（図示しない）に送信され、混合物１１について、タルクの構成元素が含まれているか否かの判断が行われる。
【００３０】
そして、データ処理装置によりタルクが含まれていると判断された場合、データ処理装置から信号が出力されず、Ｘ線検出器１８より下流側に設置されたノズル１９は作動しないため、ベルトコンベア１３で搬送されたポリプロピレン１０はそのまま落下して、容器２３に回収される。
一方、データ処理装置によりタルクが含まれていないと判断された場合、データ処理装置から出力される信号によって、ノズル１９から圧縮空気を噴出させ、ベルトコンベア１３で搬送された、ポリプロピレン１０以外の混合物１１、即ち、他のプラスチックや異種部材は吹き飛ばされ、別の容器２４に回収される。
【００３１】
上記したように、タルクを含有するポリプロピレン１０以外の混合物１１に圧縮空気を吹き付け吹き飛ばしたのは、混合物１１中のポリプロピレン１０の量が多い（例えば、混合物１１中のポリプロピレン１０の量が９０〜９５質量％程度）ためである。しかし、タルクを含有するポリプロピレン１０に圧縮空気を吹き付け、このポリプロピレン１０を吹き飛ばして回収することもできる。
これにより、混合物１１からポリプロピレン１０を選別できる。
従って、前記した近赤外選別機を用いる場合のように、複数のプラスチックの種類を検出して選別することなく、ポリプロピレン１０を回収できる。
【００３２】
（異物除去工程）
プラスチック選別工程で選別したポリプロピレン１０の表面の異物を除去する。
プラスチック選別工程で選別されたポリプロピレン１０は、リサイクル材料として使用されるが、ポリプロピレン１０の表面に付着した塗装膜を剥離することで、更に純度の高いポリプロピレン１０が得られる。
この方法としては、例えば、過熱水蒸気法を用いて高温の水蒸気をポリプロピレン１０の表面に接触させ、表面の塗装膜の接着力を劣化させて、塗装膜を剥離する方法を用いることができる。
【００３３】
また、塗装膜が付いたポリプロピレン１０の表面を物理的に研磨（磨砕）することで、塗装膜を剥離することもできる。
なお、上記した過熱水蒸気法と物理的な研磨方法とを合わせて使用することで、塗装膜の剥離を効果的に実施することもできる。更には、ポリプロピレンが過熱水蒸気法の処理工程後に冷却される前に物理的な研磨を行うことで、より一層の効果が得られる。
上記した方法で分離した塗装膜は、例えば、風力選別機等を用いることで、ポリプロピレン１０から除去できる。
【００３４】
これにより、塗装膜が除去され、塗装膜を含まない純度の高いポリプロピレン１０が得られる。このポリプロピレン１０は、例えば、溶融してペレット化（粒状に）した後、製品として利用することが好ましい。
以上の方法で得られたポリプロピレン１０を、車の構成部品を製造するための原材料としてリサイクルする（水平リサイクル）。
【００３５】
続いて、前記した部品のうち、内装材の製造に用いられたポリプロピレン（ＰＰ）をリサイクルする処理について、以下に説明するが、この処理は、上記したバンパーの製造に用いられたポリプロピレン１０をリサイクルする処理と略同様であるため、以下簡単に説明する。なお、内装材は、その表面に、ウレタン系の接着剤を介して吸音フェルトやモケットが貼られたものである。
【００３６】
（破砕工程）
内装材を破砕機に投入し、例えば、約１５ｍｍ以下の破砕物にする。
この内装材は、前記したように、その主要材料がポリプロピレンであるが、その他に、ポリスチレンやＡＢＳ等のプラスチックも含まれている。また、内装材には、ゴムやねじ等の金属の異種部材も取り付けられている。更に、内装材の表面には、ウレタン系の接着剤を介して吸音フェルトやモケットが貼られている。
【００３７】
従って、内装材を細かく破砕することにより、ポリプロピレンと、ポリプロピレン以外の他のプラスチック（ポリスチレンやＡＢＳ等）とに分解できる。また、内装材に取り付けられた異種部材も分離できる。そして、内装材の表面に貼られた吸音フェルトやモケットの大部分は、この破砕機によって分離されるが、接着剤は残存している。
なお、内装材は、タルク（無機充填材の一例）を含有しているが、このタルクは、ポリプロピレンに含まれ、ポリプロピレン以外の他のプラスチックには含まれていない。
【００３８】
（金属回収工程）
上記した破砕物を、風力選別機、磁力選別機、及び、非鉄金属選別機に順次投入することで、異種部材と吸音フェルトやモケットを、破砕物から選別できる。
【００３９】
（プラスチック選別工程）
異種部材が除去された破砕物、即ち、ポリプロピレンと他のプラスチックの混合物を、Ｘ線選別機へ搬送して、混合物からポリプロピレンを選別する。従って、前記した近赤外選別機を用いる場合のように、複数のプラスチックの種類を検出して選別することなく、ポリプロピレンを回収できる。また、Ｘ線選別機の元素検出装置であれば、ポリプロピレンが黒色でも、容易に検出できる利点がある。
【００４０】
（異物除去工程）
プラスチック選別工程で選別したポリプロピレンの表面の異物を除去する。
プラスチック選別工程で選別されたポリプロピレンは、リサイクル材料として使用されるが、内装材を構成するポリプロピレンの表面の接着剤を剥離することで、更に純度の高いポリプロピレンが得られる。
この方法としては、例えば、過熱水蒸気法を用いて高温の水蒸気をポリプロピレンの表面に接触させ、冷却する際の潜熱で、ポリプロピレンの表面の接着剤の接着力を劣化させて、剥離する方法を用いることができる。
【００４１】
また、接着剤が付いたポリプロピレンの表面を物理的に研磨することで、接着剤と、残存する吸音フェルトやモケットを剥離することもできる。
なお、上記した過熱水蒸気法と物理的な研磨方法とを合わせて使用することで、接着剤の剥離を効果的に実施することもできる。更には、ポリプロピレンが過熱水蒸気法の処理工程後に冷却される前に物理的な研磨を行うことで、より一層の効果が得られる。
これにより、接着剤が除去され、接着剤と、吸音フェルトやモケットを含まない純度の高いポリプロピレンが得られるため、これを車の構成部品を製造するための原材料としてリサイクルすることができる。
【００４２】
以上のことから、本発明のリサイクル材料の回収方法を用いることで、廃車の構成部品に用いられたプラスチックの選別を簡便かつ効率よく実施でき、純度の高いリサイクル資源を得ることができる。
【００４３】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のリサイクル材料の回収方法を構成する場合も本発明の権利範囲に含まれる。
前記実施の形態においては、タルクのみを含有したバンパーと内装材の回収方法について説明したが、タルクと共に、他の無機充填材を含有したプラスチックを回収することもでき、また、タルク以外の無機充填材のみを含有したプラスチックを回収することもできる。なお、タルク以外の無機充填材としては、例えば、クレー、炭酸カルシウム、マイカ、ケイ酸塩類、炭酸塩類、ガラス織維等がある。この場合、プラスチック選別工程では、プラスチックが含有する無機充填材の種類に応じて、その構成元素をＸ線で検出する。
【００４４】
また、前記実施の形態においては、廃車からポリプロピレンを回収した場合について説明したが、これに限定されるものではなく、他のプラスチックを回収することもできる。なお、回収可能なプラスチックは、上記した無機充填材を含有するものである。
そして、前記実施の形態においては、破砕工程とプラスチック選別工程との間で金属回収工程を行った場合について説明したが、処理する破砕物の構成によっては（例えば、金属の含有量が少ない場合）、金属回収工程の一部又は全部（即ち、風力選別機、磁力選別機、及び、非鉄金属選別機のいずれか１又は２以上）を省略することもできる。
更に、前記実施の形態においては、プラスチック選別工程において、プラスチックの選別に、圧縮空気を噴出するノズルを用いた場合について説明したが、プラスチックを選別できれば、他の手段を用いることもできる。
【符号の説明】
【００４５】
１０：ポリプロピレン（プラスチック）、１１：混合物、１２：貯留ホッパ、１３：ベルトコンベア、１４：Ｘ線選別機、１５、１６：ガイドローラ、１７：シート材、１８：元素検出装置、１９：ノズル、２０：Ｘ線源、２１：ラインセンサカメラ、２２：遮蔽ボックス、２３：容器、２４：別の容器
【図１】
2018008380.tif 000003
【図２】
2018008380.tif 000004
【図３】
2018008380.tif 000005